(57)【要約】      （修正有）【課題】組立足場の形成と解体を安全に行うことができる組立足場及びその枠を提供する。【解決手段】組立足場は、従来の鳥居形枠の代りに２本のパイプ支柱１０と上記各支柱を連結する横杆とから成るＨ形枠を用い、これら複数のＨ形枠を上下に接続することで組立足場の形成を行う。上記Ｈ形枠のうち上段に位置される各枠は、その下方小径部１１及び下端につの部２５を有し、下段のＨ形枠の上端にはつの部を挿入可能な開口部３０を設け、また開口部の下方部分のパイプ内に水平ピン２３を設ける。組立の際は、下段枠の開口部に上段枠のつの部を挿入し、つの部先端の湾曲部を水平ピンに係合させながら、上段のＨ形枠を徐々に立て起すことにより上下のＨ形枠を接続させ組立足場の形成を行う。【選択図】図５
2007277908.tif 000002
【特許請求の範囲】
【請求項１】
２本の支柱と上記各支柱を連結する横杆とより成る、互いに上下に接続される複数の枠と、上記上下に接続される枠を互いに接続する接続手段とを有し、上段の枠が、その下端につの部を有し、最下段の枠及び上段の枠がその上端に他の枠の下端に設けたつの部を受容する穴と上記つの部に係合するピンとを有することを特徴とする組立足場用枠。
【請求項２】
２本の支柱と上記各支柱を連結する横杆とより成る、互いに上下に接続される複数の枠と、上記上下に接続される枠を互いに接続する接続手段とを有し、上段の枠が、その下端につの部を有し、最下段の枠及び上段の枠がその上端に他の枠の下端に設けたつの部を受容する穴と上記つの部に係合するピンとを有する組立足場用枠と、上記枠に横方向に離間して並設される同様の構成の組立足場用枠を有し、この互いに隣接する上記枠間が足場板とにより互いに連結されていることを特徴とする組立足場。
【請求項３】
２本の支柱と上記各支柱の中間部分を連結する横杆とより成る、互いに上下に接続される複数の枠と、上記上下に接続される枠を互いに接続する接続手段とを有する組立足場用枠と、上記枠に横方向に離間して並設される同様の構成の組立足場用枠を有し、この互いに隣接する上記枠の横杆間が足場板とにより互いに連結され、上記互いに隣接する上記枠間がブレスにより互いに連結されていることを特徴とする組立足場。
【発明の詳細な説明】
【技術分野】
【０００１】
本発明は組立足場及びその枠、特に、組立足場の形成と解体を安全に行うことができる組立足場及びその枠に関するものである。
【背景技術】
【０００２】
図１３は、１段目を形成した状態の組立足場の斜視図を示し、上記組立足場は、互いに並設した複数の鳥居形枠１と、これら鳥居形枠１間を接続する布板２及び筋交い３とより成り、上記各鳥居形枠１は図１４及び図１５に示すように両側の垂直パイプ支柱４と、上記各垂直パイプ支柱４の下端に設けた下端開口部５と、上端に設けた、他の鳥居形枠１の各垂直パイプ支柱４の下端開口部５に挿入可能な凸部６と、上記各パイプ支柱４の上端からその内側に沿って平行に延び、上記パイプ支柱４の下端から略５０ｃｍ上方の位置に達する補強杆７と、この補強杆７とこれに対向するパイプ支柱４間を連結する水平連結杆８と、上記各パイプ支柱４の上端部間を連結する横杆９とより成る（特許文献１）。
【０００３】
【特許文献１】特開平９−１３６５６号公報（図２）
【発明の開示】
【発明が解決しようとする課題】
【０００４】
然しながら、上記１段目の組立足場上に２段目の組立足場を形成する場合、作業者は１段目の組立足場の布板２上で、手摺のない状態で２段目の組立足場を作成する必要があり安全性に欠け、また、３段目以上の組立足場を形成する場合も同様に、高所作業における安全性に欠けるという欠点があった。
【０００５】
また、組立足場の組立の際、１段目の鳥居形枠１の両側の各垂直パイプ支柱４の各凸部６に、２段目の鳥居形枠１の両側の垂直パイプ支柱４の各下端開口部５を同時に挿入する必要があるが、この作業は極めて困難であった。
【０００６】
また、組立足場の解体の際、例えば１段目のパイプ支柱４から２段目の垂直パイプ支柱４を引き抜くとき、２段目のパイプ支柱が急に抜けると、作業者の体のバランスが崩れ、危険を伴うということがあった。
【０００７】
本発明は上記の欠点を除くようにしたものである。
【課題を解決するための手段】
【０００８】
本発明の組立足場用枠は、２本の支柱と上記各支柱を連結する横杆とより成る、互いに上下に接続される複数の枠と、上記上下に接続される枠を互いに接続する接続手段とを有し、上段の枠が、その下端につの部を有し、最下段の枠及び上段の枠がその上端に他の枠の下端に設けたつの部を受容する穴と上記つの部に係合するピンとを有することを特徴とする。
【０００９】
本発明の組立足場は、２本の支柱と上記各支柱を連結する横杆とより成る、互いに上下に接続される複数の枠と、上記上下に接続される枠を互いに接続する接続手段とを有し、上段の枠が、その下端につの部を有し、最下段の枠及び上段の枠がその上端に他の枠の下端に設けたつの部を受容する穴と上記つの部に係合するピンとを有する組立足場用枠と、上記枠に横方向に離間して並設される同様の構成の組立足場用枠を有し、この互いに隣接する上記枠間が足場板とにより互いに連結されていることを特徴とする。
【００１０】
本発明の組立足場は、２本の支柱と上記各支柱の中間部分を連結する横杆とより成る、互いに上下に接続される複数の枠と、上記上下に接続される枠を互いに接続する接続手段とを有する組立足場用枠と、上記枠に横方向に離間して並設される同様の構成の組立足場用枠を有し、この互いに隣接する上記枠の横杆間が足場板とにより互いに連結され、上記互いに隣接する上記枠間がブレスにより互いに連結されていることを特徴とする。
【発明の効果】
【００１１】
本発明の組立足場及びその枠によれば、組立足場の作成と解体を安全に行うことができるようになる。
【発明を実施するための最良の形態】
【００１２】
以下図面によって本発明の実施例を説明する。
【実施例１】
【００１３】
本発明の組立足場においては、従来の鳥居形枠１を用いる代わりに、図１及び図２に示すように、長さ約２ｍの２本の鋼製の円または角のパイプ支柱１０と、上記各パイプ支柱１０の中間部分を連結する、長さ約１．２ｍの上下２本の横杆１２，１３と、上記上下の横杆１２，１３を連結する垂直連結杆１４，１４と、上記各パイプ支柱１０の上端に夫々設けた、ボルト挿通孔１５を有する連結金具１６と、上記各連結金具１６の遊端と上記上側の横杆１２の中央部とを夫々連結する補強杆１７と、上記パイプ支柱１０の下端に夫々設けた、ボルト挿通孔１８を有する連結金具１９と、上記連結金具１９の遊端と上記下側の横杆１３の中央部とを夫々連結する補強杆２０と、上記各補強杆１７，２０とこれに対向する上記各パイプ支柱１０間を連結する水平連結杆２１とよりなる、上下に接続される複数のＨ形枠２２を用いる。
【００１４】
また、上記Ｈ形枠２２のうち上段に位置される各枠はその下方小径部１１及び下端につの部２５を有し、これら各枠及び最下段に位置することになる枠の上端には、他のパイプ支柱１０の下方小径部１１及び下端つの部２５を挿入可能な開口部３０を設ける。
【００１５】
また、図１〜図３に示すように、上記Ｈ形枠２２の各パイプ支柱１０の上端からやや下方部分のパイプ内に、上記横杆１２に平行する水平ピン２３を設け、また、上記各パイプ支柱１０の下端のつの部２５の側面に、上記水平ピン２３に係合自在な湾曲凹部２４を設ける。
【００１６】
次に、上記１段目の組立足場に２段目の組立足場を形成するために、図４及び図５に示すように、１段目のＨ形枠２２の各パイプ支柱１０の上端開口部３０の縁上に、水平に倒した２段目のＨ形枠２２の各パイプ支柱１０の下方つの部２５の湾曲凹部２４の側面を載置せしめ、図６及び図７に示すように、上記１段目のパイプ支柱１０の上端開口部３０の縁を支点として、上記水平に倒した２段目のＨ形枠２２を徐々に垂直方向に起し、上記の湾曲凹部２４の上縁が上記パイプ支柱１０の上端開口部３０の縁上に載せ、図８及び図９に示すように、上記２段目のＨ形枠２２が垂直となった時に、上記２段目の各パイプ支柱１０のつの部２５の湾曲凹部２４の中間部が上記１段目のパイプ支柱１０の水平ピン２３の位置となるようにし、次いで図１０に示すように、上記１段目のパイプ支柱１０の上端開口部３０内に上記２段目のパイプ支柱１０の小径部１１を挿入せしめ、このとき上記上段のパイプ支柱の下面が、上記下段のパイプ支柱１０の上面に載置されるようにし、上記１段目の連結金具１６のボルト挿通孔１５と上記２段目の連結金具１９のボルト挿通孔１８にボルト２９を挿通せしめ、上記ボルト２９にナット（図示せず）を螺合せしめることにより、上記１段目のＨ形枠２２と上記２段目のＨ形枠２２を互いに一体に固定せしめる。
【００１７】
本発明の他の実施例においては、上記のＨ形枠２２を図１１に示すように互いに横方向に離間して並設し、互いに隣接する一方のＨ形枠２２の横杆１２と他方のＨ形枠２２の横杆１２とに足場板となる布板２６を横架せしめ、同じく互いに隣接する一方のＨ形枠２２の左右のパイプ支柱１０と他方のＨ形枠２２の左右のパイプ支柱１０とを夫々水平ブレス２７、筋交い２８で連結せしめ、１段目の組立足場を構成せしめる。
【００１８】
また、図１２に示すように互いに隣接する１段目のＨ型枠２２に２段目のＨ形枠２２を固定せしめ、上記２段目の互いに隣接する一方のＨ形枠２２の横杆１２と他方のＨ形枠２２の横杆１２間に布板２６を横架せしめ、同じく互いに隣接する一方のＨ形枠２２の左右のパイプ支柱１０と他方のＨ形枠２２の左右のパイプ支柱１０とを夫々水平ブレス２７、筋交い２８で連結せしめ、２段目の組立足場を形成せしめ、以下同様にして、３段目、４段目の組立足場を形成せしめる。
【００１９】
本発明の組立足場によれば、上記Ｈ形枠２２の高さの中間部分に布板２６が横架されているので、１段目の組立足場を形成すれば、２段目の組立足場を形成する場合、作業者は上記１段目の組立足場の水平ブレス２７や筋交い２８を手摺として利用することができるので、安全に作業を行うことができるようになる。
【００２０】
また、１段目のＨ形枠２２の各パイプ支柱１０の上端開口部３０に、２段目のＨ形枠２２の各パイプ支柱１０の下方小径部１１を挿入する際、まず、上記１段目の各パイプ支柱１０の上部開口部３０の縁上に、上記２段目の各パイプ支柱１０のつの部２５の湾曲凹部２４の側面を載置せしめ、次いで傾斜せしめるようにしたので、容易に挿入できるようになる。
【００２１】
また、１段目のＨ形枠２２と２段目のＨ形枠２２とを解体する場合、ボルトとナットを取り外し、上記２段目のＨ形枠２２を上記１段目のＨ形枠２２に対して上方に引っ張っても、２段目のＨ形枠２２が抜ける前に上記２段目のパイプ支柱１０の下方のつの部２５が、上記１段目のパイプ支柱１０の水平ピン２３に当接するので、急に２段目のＨ形枠２２が抜けることがなく、その後は図８、図６及び図４に示すように、組立とは逆の順序で２段目のＨ形枠２２を外せば、安全に作業を行なうことができる。
【図面の簡単な説明】
【００２２】
【図１】本発明の組立足場におけるＨ形枠の正面図である。
【図２】本発明の組立足場におけるＨ形枠の側面図である。
【図３】本発明の組立足場のＨ形枠の要部の拡大斜視図である。
【図４】本発明の組立足場の組立の説明用斜視図である。
【図５】図４に示す組立足場の要部の説明用拡大斜視図である。
【図６】本発明の組立足場の組立の説明用斜視図である。
【図７】図６に示す組立足場の要部の説明用拡大斜視図である。
【図８】本発明の組立足場の組立の説明用斜視図である。
【図９】図８に示す組立足場の要部の説明用拡大斜視図である。
【図１０】本発明の組立足場の組立の要部の説明用拡大斜視図である。
【図１１】本発明の他の実施例における組立足場における１段目の組立足場の斜視図である。
【図１２】本発明の他の実施例における組立足場を布板を除いて示した斜視図である。
【図１３】従来の組立足場の斜視図である。
【図１４】図１３に示す組立足場における鳥居形枠の正面図である。
【図１５】従来の組立足場の組立の説明用斜視図である。
【符号の説明】
【００２３】
１  鳥居形枠
２  布板
３  筋交い
４  パイプ支柱
５  下端開口部
６  凸部
７  補強杆
８  水平連結杆
９  横杆
１０  パイプ支柱
１１  小径部
１２  横杆
１３  横杆
１４  垂直連結杆
１５  ボルト挿通孔
１６  連結金具
１７  補強杆
１８  ボルト挿通孔
１９  連結金具
２０  補強杆
２１  水平連結杆
２２  Ｈ形枠
２３  水平ピン
２４  湾曲凹部
２５  つの部
２６  布板
２７  水平ブレス
２８  筋交い
２９  ボルト
３０  上端開口部
【図１】
2007277908.tif 000003
【図２】
2007277908.tif 000004
【図３】
2007277908.tif 000005
【図４】
2007277908.tif 000006
【図５】
2007277908.tif 000007
【図６】
2007277908.tif 000008
【図７】
2007277908.tif 000009
【図８】
2007277908.tif 000010
【図９】
2007277908.tif 000011
【図１０】
2007277908.tif 000012
【図１１】
2007277908.tif 000013
【図１２】
2007277908.tif 000014
【図１３】
2007277908.tif 000015
【図１４】
2007277908.tif 000016
【図１５】
2007277908.tif 000017